(57)【要約】【課題】立て管から水回り器具までの横引き管の長さが長い場合でも配管が可能な排水工法であり、サイフォン排水工法と従来の勾配排水工法とを組み合わせた工法である。【解決手段】複数階を有する建造物の排水工法であって、水回り器具からの横引き管と立て管への合流部からなり、当該横引き管と合流部との間の水頭差によるサイフォン力によるサイフォン排水工法と、水回り器具からの横引き管を床に対して勾配をもって配管し、勾配差による排水力による勾配排水工法とを交互の階の排水工法とした排水工法。１‥排水立て管、２‥合流継手、３（３）、３（４）‥水回り器具（洗面器）、４（３）、４（４）‥水回り器具（ユニットバス）、５（３）‥勾配排水工法における横引き管、６ａ（４）、６ｂ（４）‥サイフォン排水工法における横引き管、７‥壁、Ｈ３、Ｈ４‥床下スペース、Ｈｓ‥水頭。【選択図】図１
2007056458.tif 000002
【特許請求の範囲】
【請求項１】
複数階を有する建造物の排水工法であって、水回り器具からの横引き管と立て管への合流部からなり、当該横引き管と合流部との間の水頭差によるサイフォン力によるサイフォン排水工法と、水回り器具からの横引き管を床に対して勾配をもって配管し、勾配差による排水力による勾配排水工法とを交互の階の排水工法としたことを特徴とする建造物の排水工法。
【請求項２】
サイフォン排水工法における水頭差を階下の勾配配管へ連結した請求項１記載の建造物の排水工法。
【発明の詳細な説明】
【技術分野】
【０００１】
本発明は、主として集合住宅用建造物の排水工法に関するものである。
【背景技術】
【０００２】
従来型の建造物の勾配排水工法では、横引き管に所定の勾配を取るため、横引き管が長い場合には床下も大きくすることで対応していた。従って、この勾配を利用した排水工法にあっては、横引き管の長さが長い配管設計では床下空間を多大に取る必要があり、階高が上がったり、縦方向への居住空間が狭くなっていた。
【０００３】
かかる欠点を解消すべく、サイフォン排水工法が提案されている（特許文献１）。サイフォン排水工法の概要は、排水立て管、水回り器具、横引き管、立て管への合流部からなり、水回り器具には管径の比較的小さい樹脂パイプ（横引き管）が接続され、床に対して無勾配で配管され、これが途中で合流することなく、合流部へ接続されるものである。そして、この合流部は水回り器具がある床（階）よりも低い位置（好ましくは１階分階下）に形成されたものであり、その水頭（落差）Ｈｓの分だけサイフォン力が生じるものであり、パイプ内にはエアがなく排水は満流流れにて排水されることとなる。
【０００４】
【特許文献１】特開２０００ー２９７４４７号公報
【０００５】
このサイフォン排水工法では横引き管に勾配をつけないため床下空間に余裕がもてるが、横引き管が長い場合にはサイフォン開始時間が長くかかる。このため、器具によっては排水があふれ出てしまうため施工できない物件もあった。即ち、サイフォン排水工法では、設計可能領域内でのみの設計であり、特に横引き管の長さに限界があった。
【０００６】
しかし、近年のマンションでは、間取りの自由度や高級指向等から、水回りを他のフロアとは異なり、南側にもってくることが好まれ、立て管から水回りまでの横引き管の長さが長い物件が増えている。しかるに、勾配排水工法もサイフォン排水工法もこれに十分対応できるものではなかった。
【発明の開示】
【発明が解決しようとする課題】
【０００７】
本発明は以上の従来の技術に鑑みてなされたものであり、立て管から水回りまでの横引き管の長さが長い場合でも配管が可能な排水工法を提供するものである。
【課題を解決するための手段】
【０００８】
本発明の要旨は、複数階を有する建造物の排水工法であって、水回り器具からの横引き管と立て管への合流部からなり、当該横引き管と合流部との間の水頭差によるサイフォン力によるサイフォン排水手段と、水回り器具からの横引き管を床に対して勾配をもって配管し、勾配差による排水力による勾配排水手段とを交互の階の排水手段としたことを特徴とする建造物の排水工法に係るものである。
【発明の効果】
【０００９】
本発明はサイフォン排水工法と従来の勾配排水工法とを組み合わせてなる排水工法であって、立て管から水回りまでの横引き管の長さが長い場合でも配管が可能な排水工法が提供できたものである。
【発明を実施するための最良の形態】
【００１０】
本発明の排水工法の具体的形態を述べれば、床下空間を大きく必要とする従来の勾配型排水を奇数階に設置し、床下空間の狭いサイフォン排水を偶数階に設置することで、建物全体の高さを抑えることが可能である。奇数階は従来排水で、極く一般的な排水管の敷設工法で配管する。そして、今までのサイフォン排水工法であればパイプスペ−スシャフト（以下、ＰＳという）のところまで横に引き、下階に落として立て管に合流させたが、本発明では、例えば偶数階における排水をサイフォン排水とした場合、水回り器具近傍の壁内等に埋設し、ほとんど横引き長さを取らずに落とし、階下の従来の横引き管に合流させるものである。
【００１１】
更に言えば、例えば、２、４、６階等の偶数階にサイフォン排水工法を適用し、１、３、５階等の奇数階に従来型勾配排水工法を互い違いに敷設し、サイフォン排水工法における水頭差を従来型勾配排水工法における横引き管との間で構成してサイフォン力を比較的早期に生じさせ、横引き長さの大きい物件にも対応する排水管の敷設工法を提供するものである。前記のサイフォン排水工法と勾配排水工法とは、逆でも構わないし、変則的な構成でも構わない。
【００１２】
そして、集合住宅では、縦の列の住戸ではほぼ同じ間取りであるところから、水回り器具に関しても同じ位置にあるケースがほとんどである。従って、下階の排水横引き管は上階の水回り器具の真上まで配管されている。このため、本発明の工法にあっては、わざわざ長い距離の横引き管を設置することは不要である。
【００１３】
又、サイフォン排水工法に用いられる管は従来の工法の管と比べて小口径であるため、住宅の躯体工事時に壁内、壁管、ＰＳ等に埋め込むことは可能である。又、ポリブテン管等の可撓性のある樹脂管を使用することにより、ＣＤ管等によって埋設も可能である。
【００１４】
更に、立て管合流継手の設置位置も２フロアに一箇所となり、コスト面、施工面でのメリットがある。
【実施例】
【００１５】
以下、本発明の排水工法を図をもって更に詳細に説明する。図１は本発明を集合住宅に適用した際の図であり、従来型の勾配排水工法を３階に、サイフォン排水工法を４階に適用した例である。符号１は排水立て管、２は３階に備えられた合流継手、３は水回り器具としての洗面器、４は水回り器具としてのユニットバスを示す。
【００１６】
上記の集合住宅における３階の排水にあって、ユニットバス４（３）のトラップより合流継手２に向けて太径（例えば５０Ａ）の塩ビ製の横引き管５（３）が所定の勾配をもって敷設されている。そして、洗面器３（３）からの排水は同様に洗面器３（３）のトラップを通って横引き管５（３）に途中で合流しているいわゆる勾配排水工法である。かかる工法によれば、３階における床下スペースＨ３は、勾配をもって敷設される横引き管５（３）の長さが長くなればそれだけＨ３が大きくなる。
【００１７】
上記の集合住宅における４階にあって、ユニットバス４（４）のトラップより細径（例えば２０Ａ）のポリブテン管６ａ（４）が無勾配をもって敷設され、このポリブテン管６ａ（４）はそのまま壁７内を通って３階の排水管５（３）に接続されている。同様に、洗面器３（４）からの排水は同様に洗面器３（４）のトラップを通ってポリブテン管６ｂ（４）が無勾配をもって敷設され、３階の横引き管５（３）に合流されている。４階における床下スペースＨ４は横引き管６（４）が細径でしかも無勾配で敷設されるために小さいものでよい。
【００１８】
さて、４階におけるユニットバス４（４）の排水について詳細に述べれば、ポリブテン管６ａ（４）はその横引き長さはさほど長いものではなく、これがそのまま３階の横引き管５（３）に繋がれているものであり、その間の落差がそのまま水頭差Ｈｓとなり、これによって横引き管６ａ（４）内の排水はサイフォン力が作用し、排水が洗い場側にあふれ出ることなく排水ができることとなったものである。
【００１９】
尚、今までのサイフォン排水工法をそのまま採用した場合には、横引き管６ａ（４）は排水立て管１のＰＳにまで床面に添って敷設されるために、横引き長さが長くなり、これによってサイフォン開始時間が遅れ、その間に洗い場側に排水があふれ出してしまうケースがあったが、本発明は、横引き管６ａ（４）の長さを短くし、これを階下の勾配を付した横引き管に接続することにより、サイフォン開始時間の遅れがなく排水があふれ出るという欠点は解消したものである。
【産業上の利用可能性】
【００２０】
そして、今まで横引き管の長さが長くてサイフォン排水が敷設できなかった間取りにおいてもサイフォン排水施工ができ、排水管敷設の点では水回り器具のレイアウトが自由に設計できることとなったものである。そして、２フロアに１フロアはサイフォン排水を敷設施工することにより、全て従来型勾配排水で施工するよりも建物の縦方向スペースを効果的に使用できる点が最大の特徴であり、高層の集合住宅はもとより、２階以上の戸建て住宅の排水工法にも広く適用できるものである。
【図面の簡単な説明】
【００２１】
【図１】図１は本発明の排水工法を集合住宅に適用した際の概念図である。
【符号の説明】
【００２２】
１‥排水立て管、
２‥合流継手、
３（３）、３（４）‥水回り器具（洗面器）、
４（３）、４（４）‥水回り器具（ユニットバス）、
５（３）‥勾配排水工法における横引き管、
６ａ（４）、６ｂ（４）‥サイフォン排水工法における横引き管、
７‥壁、
Ｈ３、Ｈ４‥床下スペース、
Ｈｓ‥水頭。
【図１】
2007056458.tif 000003